(57)【要約】【課題】ディスクトレイが排出されて停止するときに発生する衝撃音を低減でき、駆動ピニオンにかかる負荷も吸収緩和できる光ディスク装置を提供する。【解決手段】ディスクトレイ１３が排出完了位置の直前まで排出されたときに、カムスライダー１１をトラバースシャーシが下向きに回動するときのカムスライダーのスライド方向と同一方向にスライドさせる補助スライド手段１３ｅを設け、この手段でカムスライダー１１が上記同一方向にスライドしたときに駆動ピニオン１２が噛み合う補助ラック１１ｅをカムスライダーに設け、ディスクトレイ１３が排出完了位置に到達したときにカムスライダー１１を当止する当止部１４ｅをローダーシャーシ１に設けて、この当止部１４ｅ又はカムスライダー１１の被当止部のいずれかに緩衝材のバネ片１４を設けた光ディスク装置とする。【選択図】図４
2008210439.tif 000002
【特許請求の範囲】
【請求項１】
ローダーシャーシの内側に、光ピックアップやターンテーブルを搭載したトラバースシャーシをその後端部で上下揺動自在に取付け、トラバースシャーシを上下に揺動させるカムスライダーをローダーシャーシにスライド自在に取付け、トラバースシャーシの上側にディスクトレイを配置してローダーシャーシの内側に挿入・排出自在に取付け、一つの駆動ピニオンをカムスライダーのラックとディスクトレイのラックに順次噛み合わせて、カムスライダーのスライド動作とディスクトレイの挿入・排出動作を行わせると共に、ディスクトレイが排出完了位置まで排出されたときにディスクトレイの突片をローダーシャーシのストッパーに当ててディスクトレイを停止させるようにした光ディスク装置において、
上記ディスクトレイが排出完了位置の直前まで排出されたときに、上記カムスライダーを上記トラバースシャーシが下向きに回動するときのカムスライダーのスライド方向と同一方向にスライドさせる補助スライド手段として、溝内に摺動自在に嵌め込まれたカムスライダー上面のボス部を上記同一方向に移動させるカム溝をディスクトレイの裏面に設け、
このカム溝によってカムスライダーが上記同一方向にスライドしたときに上記駆動ピニオンが噛み合う補助ラックを、カムスライダーの上記ラックの横に設けて、ラックと補助ラックの間に駆動ピニオンが空転する無歯部を形成し、
ディスクトレイが排出完了位置に到達したときにカムスライダーを当止する当止部を上記ローダーシャーシに設けて、この当止部又はカムスライダーの被当止部のいずれかに緩衝材として樹脂のバネ片を一体に形成したことを特徴とする光ディスク装置。
【請求項２】
ローダーシャーシの内側に、光ピックアップやターンテーブルを搭載したトラバースシャーシをその後端部で上下揺動自在に取付け、トラバースシャーシを上下に揺動させるカムスライダーをローダーシャーシにスライド自在に取付け、トラバースシャーシの上側にディスクトレイを配置してローダーシャーシの内側に挿入・排出自在に取付け、一つの駆動ピニオンをカムスライダーのラックとディスクトレイのラックに順次噛み合わせて、カムスライダーのスライド動作とディスクトレイの挿入・排出動作を行わせると共に、ディスクトレイが排出完了位置まで排出されたときにディスクトレイの突片をローダーシャーシのストッパーに当ててディスクトレイを停止させるようにした光ディスク装置において、
上記ディスクトレイが排出完了位置の直前まで排出されたときに、上記カムスライダーを上記トラバースシャーシが下向きに回動するときのカムスライダーのスライド方向と同一方向にスライドさせる補助スライド手段を設け、この補助スライド手段によってカムスライダーが上記同一方向にスライドしたときに上記駆動ピニオンが噛み合う補助ラックをカムスライダーに設け、ディスクトレイが排出完了位置に到達したときにカムスライダーを当止する当止部をローダーシャーシに設けて、この当止部又はカムスライダーの被当止部のいずれかに緩衝材を設けたことを特徴とする光ディスク装置。
【請求項３】
上記補助スライド手段として、溝内に摺動自在に嵌め込まれたカムスライダー上面のボス部を上記同一方向に移動させるカム溝をディスクトレイの裏面に設けたことを特徴とする請求項２に記載の光ディスク装置。
【請求項４】
上記カムスライダーのラックの横に上記補助ラックを設け、ラックと補助ラックの間に上記駆動ピニオンが空転する無歯部を形成したことを特徴とする請求項２又は請求項３に記載の光ディスク装置。
【発明の詳細な説明】
【技術分野】
【０００１】
本発明は、ＤＶＤ、ＣＤ、ＢＤなどの光ディスク装置に関し、特に、ディスクトレイの排出完了時にディスクトレイの突片がローダーシャーシのストッパーに当たって発生する衝撃音を低減させるように改良した光ディスク装置に関する。
【背景技術】
【０００２】
従来の光ディスク装置の一つとして、ローダーシャーシの内側に、光ピックアップやターンテーブルを搭載したトラバースシャーシをその後端部で上下揺動自在に取付け、トラバースシャーシを上下に揺動させるカムスライダーをローダーシャーシにスライド自在に取付け、トラバースシャーシの上側にディスクトレイを配置してローダーシャーシの内側に挿入・排出自在に取付け、一つの駆動ピニオンをカムスライダーのラックとディスクトレイのラックに順次噛み合わせて、カムスライダーのスライド動作とディスクトレイの挿入・排出動作を行わせると共に、ディスクトレイが排出完了位置まで排出されたときにディスクトレイの突片をローダーシャーシのストッパーに当ててディスクトレイを停止させるようにした光ディスク装置が知られている。
【０００３】
また、ドライブメカシャーシに、プレートトリガのスライド移動を規制するストッパリブを形成すると共に、プレートトリガに形成した緩衝回避用の開口に板バネ部を設け、この板バネ部の中央の突出部をストッパリブと係合させた光ディスク装置も公知になっている（特許文献１）。
【特許文献１】特開２００４−２８８３３３号公報
【発明の開示】
【発明が解決しようとする課題】
【０００４】
しかしながら、上記の従来の光ディスク装置は、ディスクトレイが排出完了位置まで排出されて停止するとき、ディスクトレイの突片がローダーシャーシのストッパーに当たって衝撃音を発するという問題があった。また、ディスクトレイが停止すると、そのラックに噛み合っている駆動ピニオンも停止するが、このようにディスクトレイの停止に伴って駆動ピニオンが停止した瞬間には、モータの回転駆動力がまだ駆動ピニオンに作用しているため、駆動ピニオンに大きい負荷がかかり、歯飛びや歯折損等の原因になるという問題もあった。
【０００５】
一方、特許文献１の光ディスク装置は、板バネ部とストッパリブでプレートトリガのスライド移動を規制することにより、トレイオープン動作時にラック部材とフィード用ギアの歯先緩衝を回避すると共に、記録動作時にプレートトリガを適正な位置に待機させるなどの作用効果を発揮し得るものであるが、この板バネ部とストッパリブによって上記の衝撃音を低減させたり、ピニオンにかかる負荷を吸収緩和することはできない。
【０００６】
本発明は上記事情の下になされたもので、その解決しようとする課題は、ディスクトレイが排出されて停止するときに発生する衝撃音を低減でき、駆動ピニオンにかかる負荷を吸収緩和することもできる光ディスク装置を提供することにある。
【課題を解決するための手段】
【０００７】
上記課題を解決するため、本発明に係る光ディスク装置は、ローダーシャーシの内側に、光ピックアップやターンテーブルを搭載したトラバースシャーシをその後端部で上下揺動自在に取付け、トラバースシャーシを上下に揺動させるカムスライダーをローダーシャーシにスライド自在に取付け、トラバースシャーシの上側にディスクトレイを配置してローダーシャーシの内側に挿入・排出自在に取付け、一つの駆動ピニオンをカムスライダーのラックとディスクトレイのラックに順次噛み合わせて、カムスライダーのスライド動作とディスクトレイの挿入・排出動作を行わせると共に、ディスクトレイが排出完了位置まで排出されたときにディスクトレイの突片をローダーシャーシのストッパーに当ててディスクトレイを停止させるようにした光ディスク装置において、上記ディスクトレイが排出完了位置の直前まで排出されたときに、上記カムスライダーを上記トラバースシャーシが下向きに回動するときのカムスライダーのスライド方向と同一方向にスライドさせる補助スライド手段を設け、この補助スライド手段によってカムスライダーが上記同一方向にスライドしたときに上記駆動ピニオンが噛み合う補助ラックをカムスライダーに設け、ディスクトレイが排出完了位置に到達したときにカムスライダーを当止する当止部をローダーシャーシに設けて、この当止部又はカムスライダーの被当止部のいずれかに緩衝材を設けたことを特徴とするものである。
【０００８】
本発明の光ディスク装置においては、上記補助スライド手段として、溝内に摺動自在に嵌め込まれたカムスライダー上面のボス部を上記同一方向に移動させるカム溝をディスクトレイの裏面に設けることが好ましい。そして、上記カムスライダーのラックの横に上記補助ラックを設け、ラックと補助ラックの間に上記駆動ピニオンが空転する無歯部を形成することが好ましい。
【０００９】
そして、本発明の更に具体的な好ましい光ディスク装置は、ローダーシャーシの内側に、光ピックアップやターンテーブルを搭載したトラバースシャーシをその後端部で上下揺動自在に取付け、トラバースシャーシを上下に揺動させるカムスライダーをローダーシャーシにスライド自在に取付け、トラバースシャーシの上側にディスクトレイを配置してローダーシャーシの内側に挿入・排出自在に取付け、一つの駆動ピニオンをカムスライダーのラックとディスクトレイのラックに順次噛み合わせて、カムスライダーのスライド動作とディスクトレイの挿入・排出動作を行わせると共に、ディスクトレイが排出完了位置まで排出されたときにディスクトレイの突片をローダーシャーシのストッパーに当ててディスクトレイを停止させるようにした光ディスク装置において、
上記ディスクトレイが排出完了位置の直前まで排出されたときに、上記カムスライダーを上記トラバースシャーシが下向きに回動するときのカムスライダーのスライド方向と同一方向にスライドさせる補助スライド手段として、溝内に摺動自在に嵌め込まれたカムスライダー上面のボス部を上記同一方向に移動させるカム溝をディスクトレイの裏面に設け、
このカム溝によってカムスライダーが上記同一方向にスライドしたときに上記駆動ピニオンが噛み合う補助ラックを、カムスライダーの上記ラックの横に設けて、ラックと補助ラックの間に駆動ピニオンが空転する無歯部を形成し、
ディスクトレイが排出完了位置に到達したときにカムスライダーを当止する当止部を上記ローダーシャーシに設けて、この当止部又はカムスライダーの被当止部のいずれかに緩衝材として樹脂のバネ片を一体に形成したことを特徴とするものである。
【発明の効果】
【００１０】
本発明の光ディスク装置は、ディスクトレイが排出完了位置（トレイオープン完了位置）の直前まで排出されると、補助スライド手段によってカムスライダーが、上記トラバースシャーシを下向きに回動させるときのカムスライダーのスライド方向と同一方向（以下、単に同一方向という）にスライドして、カムスライダーの補助ラックと駆動ピニオンが噛み合い、ディスクトレイが排出完了位置に到達するまで、カムスライダーも上記同一方向にスライドする。そして、ディスクトレイが排出完了位置に到達すると、カムスライダーがローダーシャーシの当止部で当止されるが、この当止の衝撃は当止部又はカムスライダーの被当止部のいずれかに設けた緩衝材によって吸収緩和されるため、カムスライダーは減速されながら緩やかに停止する。このようにカムスライダーが減速されながら緩やかに停止すると、駆動ピニオンを介してカムスライダーと連結関係（連動関係）にあるディスクトレイも同様に減速されながら緩やかに停止するため、ディスクトレイの突片がローダーシャーシのストッパーに当たって発生する衝撃音は大幅に低減される。そして、駆動ピニオンも緩やかに回転を停止し、モータによる負荷が吸収緩和されるので、歯飛びや歯欠損などを生じる心配が解消される。
【００１１】
また、補助スライド手段として、溝内に摺動自在に嵌め込まれたカムスライダー上面のボス部を上記同一方向に移動させるカム溝をディスクトレイの裏面に設けた光ディスク装置は、ディスクトレイの成形金型を若干変更するだけで、実質的なコストアップを招くことなくカム溝を容易に成形することができ、このカム溝でカムスライダー上面のボス部を移動させることによって、ボス部と共にカムスライダーを確実に上記同一方向に移動させて補助ラックと駆動ピニオンを噛み合わせることができる。
【００１２】
また、カムスライダーのラックの横に補助ラックを設け、ラックと補助ラックの間に駆動ピニオンが空転する無歯部を形成した光ディスク装置は、ラックと噛み合う駆動ピニオンが回転してカムスライダーが上記方向にスライドすると、駆動ピニオンとラックの噛み合いが外れて駆動ピニオンは無歯部で回転し、この駆動ピニオンにディスクトレイのラックが噛み合って、ディスクトレイが排出される。そして、ディスクトレイが排出完了位置の直前まで排出されると、上記の補助スライド手段（カム溝）でカムスライダーが上記同一方向にスライドして補助ラックも駆動ピニオンに噛み合い、カムスライダーとディスクトレイが駆動ピニオンを介して連結関係となる。
【００１３】
そして、本発明の更に好ましい光ディスク装置のように、ローダーシャーシに設けた当止部又はカムスライダーの被当止部のいずれかに緩衝材として樹脂のバネ片を一体に形成したものは、良好な緩衝作用が発揮されるので、ディスクトレイの突片とストッパーとの衝突音が大幅に低減され、また、別途バネ片を取付ける必要がなく部品点数や組立工数が増加しないので製造面で有利である。
【発明を実施するための最良の形態】
【００１４】
以下、図面を参照して本発明の具体的な実施形態を詳述する。
【００１５】
図１は本発明の一実施形態に係る光ディスク装置の平面図、図２はディスクトレイを省略した同光ディスク装置の平面図、図３〜図５は同光ディスクの動作説明図であって、図３はディスクトレイが挿入されている状態を示し、図４はディスクトレイが排出完了位置の直前まで排出された状態を示し、図５はディスクトレイが排出完了位置まで排出されたトレイオープンの状態を示す。
【００１６】
この光ディスク装置は、図２に示すように、合成樹脂製のローダーシャーシ１の内側に、合成樹脂製のトラバースシャーシ２が、その後端両側部において取付ネジ３とゴムダンパー４を用いて上下揺動可能に取付けられており、このトラバースシャーシ２には光ピックアップ５とターンテーブル６が搭載されている。
【００１７】
この光ピックアップ５は、そのラック５ａと噛み合うピニオン７により、ガイド軸８ａ，８ｂに沿ってターンテーブル６に対し接近、離反自在となっており、ターンテーブル６に接近しながらレーザービームを対物レンズ５ｂから光ディスクに照射して、記録・再生を行うようになっている。
【００１８】
また、ターンテーブル６は、トラバースシャーシ２に搭載されたスピンドルモータ（不図示）の出力軸に固定され、トラバースシャーシ２が上方に回動したときに、このターンテーブル６とその真上のクランパー９との間に光ディスクの中央開口縁を挟んで光ディスクを回転させるようになっている。このクランパー９は、ローダーシャーシ１に一体成形されたブリッジ部１ａの中央のクランパー保持部１ｂに回転自在に保持されている。
【００１９】
トラバースシャーシ２の前端部には、合成樹脂製のレバーシフト１０が取付固定されており、このレバーシフト１０には前方へ突き出す二つの凸部１０ａ，１０ｂが形成されている。そして、これらの凸部１０ａ，１０ｂが挿入されるカム溝１１ａ，１１ｂを形成した合成樹脂製のカムスライダー１１が、ローダーシャーシ１の前枠部１ｃに左右スライド自在に取付けられており、このカムスライダー１１の右端のラック１１ｃが駆動ピニオン１２と噛み合ってカムスライダー１１が左方向Ｌにスライドすると、レバーシャフト１０の凸部１０ａ，１０ｂがカム溝１１ａ，１１ｂ内を摺動しながら下降するため、トラバースシャーシ２はレバーシャフト１０と共に下方に回動し、カムスライダー１１が右方向Ｒにスライドすると、トラバースシャーシ２は上方に回動するようになっている。
【００２０】
尚、カムスライダー１１の上面には２つのボス部１１ｄ，１１ｄが突設され、また、カムスライダー１１のラック１１ｃの横には補助ラック１１ｅが形成されているが、これらについては後で説明する。
【００２１】
また、図１に示すように、光ディスクを載せて挿入、排出されるディスクトレイ１３は、前記のトラバースシャーシ２とローダーシャーシ１のブリッジ部１ａとの間に配置されてローダーシャーシ１の内側に挿入・排出自在に取付けられており、このディスクトレイ１３の裏面の右側縁部にはラック１３ａが挿入・排出方向（Ｘ−Ｙ方向）に形成されている。このラック１３ａには前記の駆動ピニオン１２が噛み合って、ディスクトレイ１３の挿入・排出動作を行うようになっており、ディスクトレイ１３が排出完了位置まで排出されると、ディスクトレイ１３の後部両側に形成された一対の突片１３ｆ，１３ｆが、ローダーシャーシ１の前端部両側壁の内面に形成された一対のストッパー１ｄ，１ｄに当たって、ディスクトレイ１３が停止するようになっている。尚、上記の駆動ピニオン１２と、光ピックアップ５のラック５ａに噛み合う前記ピニオン７は、駆動力伝達歯車機構（不図示）を介して、駆動モータ（不図示）から駆動力が伝達されるようになっている。
【００２２】
ディスクトレイ１３の前端部の裏面には、図１，図３に示すように、二つのカム溝１３ｂ，１３ｃが形成されており、これらのカム溝１３ｂ，１３ｃには、カムスライダー１１の上面に突設された二つのボス部１１ｄ，１１ｄが嵌め込まれている。これらのカム溝１３ｂ，１３ｃは、横溝部１３１ｂ，１３１ｃの左端から斜め後方へ屈曲する斜溝部１３２ｂ，１３２ｃを形成したもので、一方のカム溝１３ｃには斜溝部１３２ｃから後方へ延びる縦溝部１３ｄが延設されており、更に、この縦溝部１３ｄの後端には、斜め左後方へ屈曲するカム溝１３ｅが延設されている。このカム溝１３ｅは、ディスクトレイ１３が排出完了位置の直前まで排出されたときに、カムスライダー１１の一方のボス部１１ｄを導入することによって、カムスライダー１１を左方向Ｌ、即ち、トラバースシャーシ２が下方に回動するときのカムスライダーのスライド方向と同じ左方向Ｌへスライドさせる補助スライド手段として設けられたものである。
【００２３】
そして、図２〜図５に示すように、カムスライダー１１の右端のラック１１ｃの横には、上記の補助スライド手段としてのカム溝１３ｅによってカムスライダー１１が左方向Ｌへスライドしたときに、前記の駆動ピニオン１２と噛み合う補助ラック１１ｅが形成されており、ラック１１ｃと補助ラック１１ｅとの間には、駆動ピニオン１２が空転する無歯部１１ｆが形成されている。
【００２４】
また、図２〜図５に示すように、ディスクトレイ１３が排出完了位置に到達したときにカムスライダー１１を当止する当止部１ｅが、ローダーシャーシ１の前枠部１ｃの内側に突設されており、この当止部１ｅに当止されるカムスライダー１１の被当止部には、緩衝材としての樹脂のバネ片１４が一体に形成されている。尚、このバネ片はローダーシャーシ１の上記当止部１ｅに一体に形成してもよいし、また、別個のバネ片を当止部１ｅ又はカムスライダー１１の被当止部に取付けるようにしてもよい。
【００２５】
次に、上記のように構成された光ディスク装置のディスクトレイ排出動作（トレイオープン動作）について、図３〜図５を参照しながら説明する。
【００２６】
光ディスクをディスクトレイ１３を挿入した図３のトレイクローズの状態ではトラバースシャーシ２が上昇し、光ディスクがターンテーブル６とクランパー９に挟まれて回転すると共に、光ピックアップ５がガイド軸８ａ，８ｂに沿ってターンテーブル６の方へ移動しながら、その対物レンズ５ｂからレーザービームを光ディスクに照射し、記録・再生が行われる。このトレイクローズの状態では、カムスライダー１１が最も右寄りに位置し、駆動ピニオン１２は、カムスライダー１１のラック１１ｃにもディスクトレイ１３のラック１３ａにも噛み合ってなく、また、カムスライダー１１のボス部１１ｄ，１１ｄは、ディスクトレイ１３の前端部裏面に形成されたカム溝１３ｂ，１３ｃの横溝部１３１ｂ，１３１ｃに嵌まり込んでいる。
【００２７】
そして、光ディスクへの記録・再生が終わると、トリガ（不図示）の作用でカムスライダー１１のラック１１ｃが駆動ピニオン１２と噛み合い、カムスライダー１１は左方向Ｌへスライドして、無歯部１１ｆが駆動ピニオン１２まで移動する。すると、カムスライダー１１の左方向Ｌへのスライドに伴ってトラバースシャーシ２が下方へ回動し、ターンテーブル６とクランパー９による光ディスクのチャックが解除されて、光ディスクがディスクトレイ１３に載置される。それと同時に、カムスライダー１１のボス部１１ｄ，１１ｄがカム溝１３ｂ，１３ｃ内を左方向Ｌに摺動し、カム溝の斜溝部１３２ｂ，１３２ｃを摺動するときに、ディスクトレイ１３を前方へ少し移動させる。このようにディスクトレイ１３が前方へ移動すると、ディスクトレイ１３の裏面のラック１３ｂが駆動ピニオン１２に噛み合い、ディスクトレイ１３が排出される。
【００２８】
ディスクトレイ１３が排出完了位置の直前まで排出されると、図４に示すように、ディスクトレイ１３の裏面の縦溝部１３ｄを摺動してきたカムスライダーの一方のボス部１１ｄが、補助スライド手段としてのカム溝１３ｅの入口まで到達してカム溝１３ｅに導入されるため、図５に示すように、ボス部１１ｄが更に左方向Ｌに移動し、ボス部１１ｄと共にカムスライダー１１も左方向Ｌにスライドして、駆動ピニオン１２がディスクトレイ１３のラック１３ａのみならず、カムスライダー１１の補助ラック１１ｅにも噛み合うことになる。そのため、カムスライダー１１とディスクトレイ１３は駆動ピニオン１２を介して連結関係（連動関係）となる。
【００２９】
上記のように連結関係を保ったまま、ディスクトレイ１３が排出完了位置に到達すると、同時にカムスライダー１１も図５に示すようにローダーシャーシ１の当止部１ｅに当止される。このときの当止の衝撃は、カムスライダー１１の被当止部に一体に形成されたバネ片１４によって吸収緩和されるため、カムスライダー１１は減速されながら緩やかに停止する。このようにカムスライダー１１が減速されながら緩やかに停止すると、駆動ピニオン１２を介してカムスライダーと連結関係（連動関係）にあるディスクトレイ１３も同様に減速されながら緩やかに停止するため、ディスクトレイ１３の突片１３ｆ，１３ｆがローダーシャーシ１のストッパー１ｄ，１ｄに当たって発生する衝撃音は大幅に低減される。そして、駆動ピニオン１２も緩やかに回転を停止し、モータによる負荷が吸収緩和されるので、歯飛びや歯欠損などを生じる心配がなくなる。
【図面の簡単な説明】
【００３０】
【図１】本発明の一実施形態に係る光ディスク装置の平面図である。
【図２】ディスクトレイを省略した同光ディスク装置の平面図である。
【図３】同光ディスクの動作説明図であって、ディスクトレイが挿入されている状態を示すものである。
【図４】同光ディスクの動作説明図であって、ディスクトレイが排出完了位置の直前まで排出された状態を示すものでる。
【図５】同光ディスクの動作説明図であって、ディスクトレイが排出完了位置まで排出されたトレイオープンの状態を示すものである。
【符号の説明】
【００３１】
１    ローダーシャーシ
１ｄ  ストッパー
１ｅ  当止部
２    トラバースシャーシ
５    光ピックアップ
６    ターンテーブル
９    クランパー
１１  カムスライダー
１１ｃ  カムスライダーのラック
１１ｄ  ボス部
１１ｅ  カムスライダーの補助ラック
１１ｆ  無歯部
１２  駆動ピニオン
１３  ディスクトレイ
１３ａ  ディスクトレイのラック
１３ｅ  カム溝（補助スライド手段）
１３ｆ  突片
１４  バネ片（緩衝材）
【図１】
2008210439.tif 000003
【図２】
2008210439.tif 000004
【図３】
2008210439.tif 000005
【図４】
2008210439.tif 000006
【図５】
2008210439.tif 000007